(57)【要約】【課題】ストッキング等小衣料を店頭に陳列して販売する場合の包装に使用する新規の軟包装フイルム製のフラップ付き襠無し易開封性包装袋を提供する。【解決手段】フラップ付き軟包装フイルム製包装袋に関し、上記フラップの基端縁辺部の内面に当該基端縁辺部に沿う状態で開封テープを貼り合せると共に当該開封テープの貼り合せ部の端個所に輪型状線を仮想し、この仮想輪型状線の外側辺個所では開封テープ及びフラップを切断し、また同仮想輪型状線の内側辺個所では開封テープ及びフラップを非切断とし、さらに同仮想輪型状線の上辺個所及び下辺個所では上記フラップを切断することによって両端が連続しない不連続輪型状切線を設け、この不連続輪型状切線により囲繞された部分を引裂き用ツマミ部としたことを特徴とする【選択図】図１
0003111224.tif 000002
【実用新案登録請求の範囲】
【請求項１】
感圧接着層を先端縁辺部の内面に備えたフラップを後面板の開口縁部の外面に上記感圧接着層を使用して接着することにより閉口状態にしうるようにしたフラップ付き軟包装フイルム製包装袋に関し、上記フラップの基端縁辺部の内面に当該基端縁辺部に沿う状態で開封テープを貼り合せると共に当該開封テープの貼り合せ部の端個所に輪型状線を仮想し、この仮想輪型状線の外側辺個所では開封テープ及びフラップを切断し、また同仮想輪型状線の内側辺個所では開封テープ及びフラップを非切断とし、さらに同仮想輪型状線の上辺個所及び下辺個所では上記フラップを切断することによって両端が連続しない不連続輪型状切線を設け、この不連続輪型状切線により囲繞された部分を引裂き用ツマミ部として使用しうるようにしたことを特徴とするフラップ付き易開封性包装袋。
【請求項２】
不連続輪型状切線は、フラップを閉口状態とした時に後面板の外側に位置する配置となる個所に設けたことを特徴とする請求項１記載のフラップ付き軟包装フイルム製包装袋。
【考案の詳細な説明】
【技術分野】
【０００１】
本考案は、フラップの一部を引裂用摘み片とする開封の容易なフラップ付き易開封性包装袋に関するもので、例えばストッキング、パンティストッキング、タイツ、ソックス若しくはインナーウェア等の小衣料を店頭に陳列して販売するなど場合の包装に使用する軟包装フイルム製のフラップ付き襠無し易開封性包装袋に関する。
【背景技術】
【０００２】
一般に、上記したストッキング等の製品は、プラスチックフィルムを使用して軟包装袋を形成し、内容物を格納した後、短く切った感圧接着テープを用いてフラップを閉じ状態に止めることで開口部を閉塞する包装方法を施し、そして店頭に陳列していた。また、上記製品の購入者は、包装袋の外縁部に予め切設されている所謂Ｖ−ノッチ、Ｉ−ノッチと言われる切込部を利用して包装袋の一部を手指で破ることにより開封するか、上記接着テープを剥がし取ることにより開封するか、又は鋏やカッター等を使用して開封するかして、上記包装袋から内容物を取り出していた（特許文献１及び２参照）。
【０００３】
しかしながら、軟包装袋の外縁部にＶ−ノッチ、Ｉ−ノッチ等切込部を設けた場合には、流通過程で他の包装体を傷つける等の問題があった。また接着テープを剥がし取る方法には、当該接着テープの剥がし取リ操作が必ずしも容易ではなく難儀することがある等の問題があった。また、鋏やカッター等を使用して開封する方法には、鋏やカッターナイフ等をわざわざ用意する煩わしさがあるのみならず不測にして内容物を切ってしまうという問題があった。
【特許文献１】特開２００１−１８９８２号公報
【特許文献２】特開２００１−７２０７７号公報
【０００４】
なお、本願出願人は、「フラップの一部を引裂用摘み片とする・・・フラップ付き易開封性包装袋」に特化して先行技術を調査したが、関連する先行技術文献を見出すことができなかった。
【考案の開示】
【考案が解決しようとする課題】
【０００５】
本考案は、上記諸問題点を解決する新規の、フラップ付き易開封性包装袋を提供することを目的とする。
【課題を解決するための手段】
【０００６】
上記目的を達成するために、請求項１に係るフラップ付き易開封性包装袋は、感圧接着層を先端縁辺部の内面に備えたフラップを後面板の開口縁部の外面に上記感圧接着層を使用して接着することにより閉口状態にしうるようにしたフラップ付き軟包装フイルム製包装袋に関し、上記フラップの基端縁辺部の内面に当該基端縁辺部に沿う状態で開封テープを貼り合せると共に当該開封テープの貼り合せ部の端個所に輪型状線を仮想し、この仮想輪型状線の外側辺個所では開封テープ及びフラップを切断し、また同仮想輪型状線の内側辺個所では開封テープ及びフラップを非切断とし、さらに同仮想輪型状線の上辺個所及び下辺個所では上記フラップを切断することによって両端が連続しない不連続輪型状切線を設け、この不連続輪型状切線により囲繞された部分を引裂き用ツマミ部として使用しうるようにしたことを特徴とする。
【０００７】
したがって、例えばストッキング等製品を包装する場合には、予め薄い小さな状態に折り畳んで格納した後、フラップを後面板の開口縁部の外面に感圧接着層を使用して接着すればよい。なお、上記製品の折り畳みは台紙を使用して綺麗に折り畳むことが望ましい。取り出す場合には、フラップの一部に設けた引裂き用ツマミ部を引いてフラップを切り裂くことにより開封状態にすることで簡単に鋏等を使用しないでも取り出すことができる。また、引裂き用ツマミ部として機能する部分を形成する輪型状切線は、包装袋の外縁部に達していないので、従来の外縁に達しているＶ−ノッチ、Ｉ−ノッチ等切込部を設けた場合のように、流通過程において他の包装袋を傷つけるようなことがない。また鋏やカッター等を使用せずに容易に開封できる。
【０００８】
また、請求項２に係るフラップ付き易開封性包装袋は、請求項１に係るフラップ付き易開封性包装袋にあって、不連続輪型状切線は、フラップを閉口状態とした時に後面板の外側に位置する配置となる個所に設けたことを特徴とする。
【０００９】
したがって、陳列時等においては、後面板が不連続輪型状切線の内側に存して同線の切り口を塞ぐことになり、埃等の侵入は阻止できる。
【考案の効果】
【００１０】
本発明に係るフラップ付き易開封性包装袋は、上記のように構成したので、開封が容易にできる。またＶ−ノッチ、Ｉ−ノッチ等切込部で他の包装体を傷つける等の問題が解決できる。また鋏やカッター等を用意する煩わしさも内容物を不用意に切ってしまう問題も解決できる。
【考案を実施するための最良の形態】
【００１１】
以下、本考案の実施の形態を図面に基づいて説明する。図１はフラップを開いたままで全体を後面側から見た状態を示す斜視図であり、図２はフラップを閉じた状態で示す図１ＡーＡ線に沿う個所の断面図であり、図３は引裂き用ツマミ部の詳細を示す拡大説明図である。
【００１２】
この実施の形態に係るフラップ付き易開封性包装袋１は、４０ミクロンの二軸延伸ポリプロピレンフイルム製透明前面板２と同製透明後面板３の左右側辺縁及び下側辺縁を溶着すると共に上記前面板２の開口にフラップ５を一体に延設することによりフラップ５付き襠無し包装袋本体４を構成している。
【００１３】
また、上記フラップ５の先端縁辺部の内面側には、感圧接着層６を同先端縁辺部に沿う状態にして塗布し、この塗布面に被覆保護片７を剥離自在に被着してある。
【００１４】
上記感圧接着層６は、被覆保護片７を剥がし除いてフラップ５を後面板４の開口縁部の外面に接着したときには包装袋本体４を閉口状態にしうるようにしてある。
【００１５】
また、上記フラップ５の基端縁辺部の内面側には、当該基端縁辺部に沿う状態で白い４０ミクロンの二軸延伸ポリプロピレンフイルム製開封テープ８を貼り合せてある。すなわち、この貼り合せ個所は、８０ミクロンの厚さにすることで、後述する引裂き用ツマミ部１１を引いてフラップ５を切り裂く操作でも切れないようにしてある。
【００１６】
さらに、上記開封テープ８の貼り合せ部のー方端個所には、同開封テープ８の幅よりも直径が大きい輪型状線９を仮想し、この仮想輪型状線９の外側辺個所９ａでは開封テープ８及びフラップ５を切断し、また同仮想輪型状線９の内側辺個所９ｂでは開封テープ８及びフラップ５を非切断とし、さらに同仮想輪型状線９の上辺個所９ｃ及び下辺個所９ｄでは上記フラップ５を切断することによって、両端が連続しない不連続輪型状切線１０を設けてあり、この不連続輪型状切線１０により囲繞された部分を引裂き用ツマミ部１１として使用しうるようにしてあるものである。なお、上記仮想輪型状線９と不連続輪型状切線１０は、図示した場合には重なって表れて不明瞭になってしまうため、図３では仮想輪型状線９は外に僅かにずらした位置にして一点鎖線により表している。
【００１７】
したがって、上記実施の形態に係るフラップ付き易開封性包装袋１を使用して例えばストッキング等製品１２を包装する場合には、当該ストッキング等製品１２を予め薄い小さいな状態に折り畳んで包装袋本体４内に格納した後、フラップ５を後面板３の開口縁部３ａの外面に対して、被覆保護片７を直前に剥し除いて露呈状態にした感圧接着層６を使用することで接着すればよく、また、上記ストッキング等製品１２は、フラップ５の一部に設けられた引裂き用ツマミ部１１を引いてフラップ５を切り裂くことにより開封状態にすることで簡単に鋏等を使用しないでも取り出すことができる。
【図面の簡単な説明】
【００１８】
【図１】全体を後面側から見た状態で示す斜視図である。
【図２】フラップを閉じた状態にして示す図１ＡーＡ線に沿う個所の断面図である。
【図３】引裂き用ツマミ部の詳細を示す拡大説明図である。
【符号の説明】
【００１９】
１  フラップ付き易開封性包装袋
２  前面板
３  後面板
３ａ  開口縁部
４  包装袋本体
５  フラップ
６  感圧接着層
７  被覆保護片
８  開封テープ
９  仮想輪型状線
９ａ  外側辺個所
９ｂ  内辺側個所
９ｃ  上辺側個所
９ｄ  下辺側個所
１０  両端が連続しない輪型状切線
１１  引裂き用ツマミ部
１２  ストッキング等製品
【図１】
0003111224.tif 000003
【図２】
0003111224.tif 000004
【図３】
0003111224.tif 000005